(57)【要約】【課題】トラップ回路を通過した一部の妨害波やトラップ回路でグランドに落とした妨害波であってダイオードを経由して再入力した妨害波が後段の半導体素子へ入力することを防止すること。【解決手段】このテレビジョンチューナの入力回路２０は、一端がアンテナ入力端子１に接続され、他端が広帯域増幅回路６を有する電子回路に接続されている。入力回路２０は、前記アンテナ入力端子１と電子回路間の信号経路に直列に介挿され、共振周波数が第１の周波数に設定され、キャパシタ１１１とインダクタ１１２とが並列接続されてなるＣＢトラップ回路１１を備え、アンテナ入力端子１側となるＣＢトラップ回路１１の一端に静電気保護用ダイオード４１の一端が接続され、電子回路側となるＣＢトラップ回路１１の他端に静電気保護用ダイオード４１と極性を逆にした静電気保護用ダイオード４２の一端が接続され、静電気保護用ダイオード４１、４２の他端がグランドに接続されている。【選択図】図２
2011250074.tif 000002
【特許請求の範囲】
【請求項１】
一端がアンテナ入力端子に接続され、他端が半導体素子を有する電子回路に接続されたテレビジョンチューナの入力回路であって、
前記アンテナ入力端子と電子回路間の信号経路に直列に介挿され、共振周波数が第１の周波数に設定され、キャパシタとインダクタとが並列接続されてなる第１の共振回路を備え、
アンテナ入力端子側となる前記第１の共振回路の一端に第１のダイオードの一端が接続され、電子回路側となる前記第１の共振回路の他端に前記第１のダイオードと極性を逆にした第２のダイオードの一端が接続され、前記第１，第２のダイオードの他端同士が接続されていることを特徴とするテレビジョンチューナの入力回路。
【請求項２】
前記第１及び第２のダイオードの他端がグランドに接続されていることを特徴とする請求項１に記載のテレビジョンチューナの入力回路。
【請求項３】
前記第１及び第２のダイオードは静電気保護用ダイオードであることを特徴とする請求項１又は請求項２に記載のテレビジョンチューナの入力回路。
【請求項４】
前記第１の周波数は、ＣＢ信号周波数であることを特徴とする請求項１乃至請求項３のいずれかに記載のテレビジョンチューナの入力回路。
【請求項５】
前記第１の共振回路の前段において、前記信号経路とグランド間に接続にされ、キャパシタとインダクタとが直列接続された第２の共振回路を備え、
前記第２の共振回路の共振周波数が、前記第１の周波数とは異なる第２の周波数に設定されていることを特徴とする請求項１乃至請求項４のいずれかに記載のテレビジョンチューナの入力回路。
【請求項６】
前記第１の共振回路の後段において、キャパシタとインダクタとが並列接続され、前記信号経路に直列に接続された第２の共振回路を備え、
前記第２の共振回路の共振周波数が、前記第１の周波数とは異なる第２の周波数に設定されていることを特徴とする請求項１乃至請求項４のいずれかに記載のテレビジョンチューナの入力回路。
【請求項７】
前記第２の周波数は、テレビジョン信号の中間周波数であることを特徴とする請求項５又は請求項６に記載のテレビジョンチューナの入力回路。
【請求項８】
前記第１の共振回路及び又は前記第２の共振回路内のインダクタは、空芯コイルで構成されていることを特徴とする請求項１乃至請求項７のいずれかに記載のテレビジョンチューナの入力回路。
【請求項９】
前記半導体素子を有する電子回路は、広帯域増幅回路であることを特徴とする請求項１乃至請求項８のいずれかに記載のテレビジョンチューナの入力回路。
【発明の詳細な説明】
【技術分野】
【０００１】
テレビジョンチューナの入力回路に関する。
【背景技術】
【０００２】
テレビジョンチューナに用いられる受信機には、市民バンドの通信機で使用される周波数（例えば、２７ＭＨｚ）であるＣＢ信号を減衰するため、ＣＢトラップ回路を備えたものがある。例えば、特許文献１に、ＣＢトラップ回路を備えたテレビジョンチューナの入力回路が開示されている。
【０００３】
図３は、従来のテレビジョンチューナの入力回路８０の回路構成を示す図である。同図において、入力回路８０は、ハイパスフィルタ回路２と、ＣＢトラップ回路３と、静電破壊防止回路４と、ＩＦトラップ回路５と、を備えて構成されている。入力回路８０の出力段には後段回路（広帯域増幅回路６等）が接続される。
【０００４】
アンテナ入力端子１は、図示せぬテレビアンテナと接続され、テレビジョン信号の入力端となっている。ハイパスフィルタ回路２は、アンテナ入力端子１とグランドとの間に接続されたインダクタ２１と、一端がアンテナ入力端子１に接続された直流阻止用のキャパシタ２２とを備えて構成されている。このハイパスフィルタ回路２は、主として落雷対策として機能する。
【０００５】
ＣＢトラップ回路３は、一端がハイパスフィルタ回路２の出力端（キャパシタ２２の他端）に接続されたキャパシタ３１と、一端がキャパシタ３１の他端に接続され、他端がグランドに接続されたインダクタ３２とによって構成されている。キャパシタ３１及びインダクタ３２からなる直列共振回路の共振周波数は、市民バンドの通信機に使用される周波数（２６ＭＨｚ〜３０ＭＨｚ）となるように設定されている。このＣＢトラップ回路３によりＣＢ信号を減衰させる。
【０００６】
静電破壊防止回路４は、互いに逆極性となるように、ＣＢトラップ回路３のキャパシタ３１の一端とグランドとの間に並列接続された２つの静電気保護用ダイオード４１，４２によって構成されている。この静電破壊防止回路４は、人体等に帯電した静電気や誘導雷等の衝撃波がアンテナ入力端子１に印加されたときに、グランドにバイパスして増幅回路６に入力されないように抑制する。この静電破壊防止回路４は、例えば特許文献２に記載されている。
【０００７】
ＩＦトラップ回路５は、ハイパスフィルタ回路２の出力端（キャパシタ２２の他端）に対して並列接続されたキャパシタ５１とインダクタ５２とによって構成されている。キャパシタ５１及びインダクタ５２からなる並列共振回路の共振周波数は、テレビジョン信号の中間周波数（日本においては５９ＭＨｚ）となるように設定されており、この入力回路８０の中間周波数のテレビアンテナ（図示略）への漏洩を防止する。広帯域増幅回路６は、アンテナ入力端子１に入力されるＶＨＦ帯〜ＵＨＦ帯のテレビジョン信号を増幅する。広帯域増幅回路６の出力信号は出力端子７から出力される。
【０００８】
図４は、図３の入力回路８０の選択特性図である。２６〜３０ＭＨｚがＣＢトラップ回路３によって減衰されており、また５９ＭＨｚがＩＦトラップ回路５によって減衰されている。
【先行技術文献】
【特許文献】
【０００９】
【特許文献１】特開２００１−２２３９５４号公報
【特許文献２】特開２００８−１７７６２７号公報
【発明の概要】
【発明が解決しようとする課題】
【００１０】
しかしながら、上述したテレビジョンチューナの入力回路８０は、ＣＢトラップ回路３によりＣＢ信号を減衰させているが、ＣＢ信号が強入力の場合、静電気保護用ダイオード４１及び４２のそれぞれをＣＢ信号がグランド側から再入力して通過するときに２次歪みが発生し、この２次歪みがＩＦトラップ回路５を通過して広帯域増幅回路６に入ることで大きな歪みとなって現れるという課題がある。以下、この課題について、図５を参照して更に説明する。
【００１１】
図５は、図３のテレビジョンチューナの入力回路８０における、ＣＢ信号の流れる経路を示した図である。アンテナ入力端子１に印加されたＣＢ信号は、主にＣＢトラップ回路３を介してグランドに落ちるが（経路１０１）、一部はＩＦトラップ回路５側へ漏れ出して広帯域増幅回路６に入力する（経路１００）。ＣＢ信号が強入力の場合、ＣＢトラップ回路３からグランドに流れたＣＢ信号の一部が、グラウンドを経由して静電気保護用ダイオード４１及び４２をそれぞれ通過してＩＦトラップ回路５の入力段へ戻ってしまう。
【００１２】
ＣＢトラップ回路３は、減衰量を増やしたい関係から直列型のＱの高いものを採用するが、ＣＢ信号が強入力の場合は、グランドから静電気保護用ダイオード４１及び４２を介して元の信号経路に戻る成分がある(経路１０１Ａ）。経路１０１Ａを介して元の信号経路に戻る成分は、ＣＢトラップ回路３のグランドと静電気保護用ダイオード４１及び４２のグランド側が非常に近い位置にあればその割合は高くなる傾向にある。グランドから静電気保護用ダイオード４１及び４２へ入力したＣＢ信号は、静電気保護用ダイオード４１及び４２において２次歪みが発生する。この２次歪み信号がＩＦトラップ回路５を通過して広帯域増幅回路６に入力すると（経路１０１Ｂ）、大きなノイズとなって現れる。上述したようにＣＢ信号は２６〜３０ＭＨｚであるので、その２次歪みは倍の５２〜６０ＭＨｚとなり、テレビジョン信号の中間周波数（日本においては５９ＭＨｚ）と一致するため、大きな影響となって現れることになる。
【００１３】
本発明は、かかる点に鑑みてなされたものであり、トラップ回路を通過した一部の妨害波やトラップ回路でグランドに落とした妨害波であってダイオードを経由して再入力した妨害波が後段の半導体素子へ入力することを防止できるテレビジョンチューナの入力回路を提供することを目的とする。
【課題を解決するための手段】
【００１４】
本発明のテレビジョンチューナの入力回路は、一端がアンテナ入力端子に接続され、他端が半導体素子を有する電子回路に接続されたテレビジョンチューナの入力回路であって、前記アンテナ入力端子と電子回路間の信号経路に直列に介挿され、共振周波数が第１の周波数に設定され、キャパシタとインダクタとが並列接続されてなる第１の共振回路を備え、アンテナ入力端子側となる前記第１の共振回路の一端に第１のダイオードの一端が接続され、電子回路側となる前記第１の共振回路の他端に前記第１のダイオードと極性を逆にした第２のダイオードの一端が接続され、前記第１，第２のダイオードの他端同士が接続されていることを特徴とする。
【００１５】
この構成によれば、第１の周波数の信号に対して第１の共振回路がハイインピーダンスとなって第１の共振回路の一端から第１のダイオードを通り、さらに第２のダイオードを通って第１の共振回路の他端に現れる。第１の共振回路によって阻止された第１の周波数の信号は２つのダイオードを順次通過することで２次歪みが抑えられ、かつ位相が反転する。一方、第１の周波数の信号の一部は第１の共振回路を通過して他端に現れるが、逆位相に変換された第１の周波数の信号と相殺される。これにより、後段の電子回路に入力する第１の周波数の信号を減衰でき、２次歪みの影響も抑制することができる。したがって、第１の周波数の信号が強入力のときでも、第１の周波数の信号を減衰させる第１の共振回路の後段にある電子回路の出力に２次歪みを含んだ第１の周波数の信号が入力するのを防止できる。
【００１６】
上記テレビジョンチューナの入力回路において、前記第１及び第２のダイオードの他端がグランドに接続されていても良い。
【００１７】
上記テレビジョンチューナの入力回路において、前記第１及び第２のダイオードは静電気保護用ダイオードで構成しても良い。
【００１８】
上記テレビジョンチューナの入力回路において、前記第１の周波数は、ＣＢ信号周波数であっても良い。
【００１９】
上記テレビジョンチューナの入力回路において、前記第１の共振回路の前段において、前記信号経路とグランド間に接続にされ、キャパシタとインダクタとが直列接続された第２の共振回路を備え、前記第２の共振回路の共振周波数が、前記第１の周波数とは異なる第２の周波数に設定されていることを特徴とする。
【００２０】
この構成により、第１の共振回路の前段においてキャパシタとインダクタとが直列接続された第２の共振回路により第２の周波数の信号を除去することができると共に、第１の共振回路内のインダクタを小型化することができる。
【００２１】
上記テレビジョンチューナの入力回路において、前記第１の共振回路の後段において、キャパシタとインダクタとが並列接続され、前記信号経路に直列に接続された第２の共振回路を備え、前記第２の共振回路の共振周波数が、前記第１の周波数とは異なる第２の周波数に設定されていることを特徴とする。
【００２２】
この構成により、第１の共振回路の後段においてキャパシタとインダクタとが並列接続された第２の共振回路により第２の周波数の信号を除去することができる。
【００２３】
上記テレビジョンチューナの入力回路において、前記第２の周波数は、テレビジョン信号の中間周波数であっても良い。
【００２４】
上記テレビジョンチューナの入力回路において、前記第１の共振回路及び又は前記第２の共振回路内のインダクタは、空芯コイルで構成することができる。
【００２５】
上記テレビジョンチューナの入力回路において、前記半導体素子を有する電子回路は、広帯域増幅回路であっても良い。
【発明の効果】
【００２６】
本発明によれば、トラップ回路を通過した一部の妨害波やトラップ回路でグランドに落とした妨害波であってダイオードを経由して再入力した妨害波が後段の半導体素子へ入力することを防止できる。
【図面の簡単な説明】
【００２７】
【図１】本発明の一実施の形態に係る受信機の回路構成を示す図である。
【図２】図１の受信機の回路構成において、ＣＢ信号の流れる経路を示す図である。
【図３】テレビジョンに用いられる従来の受信機の回路構成を示す図である。
【図４】図３の受信機の選択特性図である。
【図５】図３の受信機の回路構成において、ＣＢ信号の流れる経路を示す図である。
【発明を実施するための形態】
【００２８】
以下、本発明の実施の形態について添付図面を参照して詳細に説明する。
図１は、本発明の一実施の形態に係る受信機であり、受信機の入力段に設けられたテレビジョンチューナの入力回路の回路構成図である。なお、同図において前述した図３に示す従来のテレビジョンチューナ入力回路８０と共通する回路については同じ符号を付けて詳細な説明は省略する。
【００２９】
テレビジョンチューナ入力回路２０は、テレビジョン受信機の入力段に設けられる入力回路である。テレビジョンチューナ入力回路２０は、主に落雷対策用のハイパスフィルタ回路２と、ＩＦトラップ用の第２の共振回路としてのＩＦトラップ回路１０と、ＣＢ対策用の第１の共振回路としてのＣＢトラップ回路１１と、ＥＳＤ対策用の静電破壊防止回路４と、を備えている。テレビジョンチューナ入力回路２０の出力端子には半導体素子で構成される広帯域増幅回路６が接続されており、広帯域増幅回路６で増幅された受信信号が図示していない電子回路であるチューナ回路本体部へ入力される。
【００３０】
ＩＦトラップ回路１０は、一端が信号経路（ハイパスフィルタ回路２のキャパシタ２２の他端）に接続されたキャパシタ１０１と、一端がキャパシタ１０１の他端に接続され、他端がグランドに接続されたインダクタ１０２とからなるＬＣ直列共振回路で構成されている。キャパシタ１０１及びインダクタ１０２からなる直列共振回路であるＩＦトラップ回路１０の共振周波数は、後段チューナの出力周波数と同一周波数に設定される。たとえば、日本においては５９ＭＨｚとなるように設定されている。ＩＦトラップ回路１０で、中間周波信号を減衰させるので、当該信号のアンテナ側への漏洩を防止できる。本実施の形態では、インダクタ１０２に空芯コイルを用いている。
【００３１】
ＣＢトラップ回路１１は、一端がＩＦトラップ回路１０の後段の信号経路（ＩＦトラップ回路１０のキャパシタ１０１の一端）に接続され、他端がテレビジョンチューナ入力回路２０の出力端子７に接続されている。ＣＢトラップ回路１１は、キャパシタ１１１とインダクタ１１２とのＬＣ並列共振回路によって構成されている。キャパシタ１１１及びインダクタ１１２からなる並列共振回路であるＣＢトラップ回路１１の共振周波数は、市民バンドの通信機に使用されるＣＢ信号（第１の周波数の信号、本テレビジョンチューナ入力回路２０に対する妨害波）の周波数（２６ＭＨｚ〜３０ＭＨｚ）となるように設定されている。本実施の形態では、インダクタ１１２に空芯コイルを用いている。空芯コイルを用いることで、直流の大電流に対応できると共に、インダクタンス値を大きくできるので、減衰量を上げることができる。
【００３２】
静電破壊防止回路４は、ＣＢトラップ回路１１とグランドとの間に接続されている。静電破壊防止回路４は、互いに逆極性となるように並列に配置された一対の静電気保護用ダイオード４１、４２で構成されている。一方の静電気保護用ダイオード４１は、カソードがＣＢトラップ回路１１の入力端に接続され、アノードがグランドに接続されている。他方の静電気保護用ダイオード４２は、アノードがＣＢトラップ回路１１の出力端に接続され、カソードがグランドに接続されている。静電破壊防止回路４は、人体等に帯電した静電気や誘導雷等の衝撃波が入力端子１に印加されたときに、グランドにバイパスして広帯域増幅回路６に入力されないように作用する。
【００３３】
広帯域増幅回路６は、ＶＨＦ帯からＵＨＦ帯までのテレビジョン信号を増幅する。
【００３４】
図２は、図１のテレビジョンチューナ入力回路２０の回路構成において、ＣＢ信号の流れる経路を示す図である。ＣＢトラップ回路１１は、ＣＢ信号に対して大きなインピーダンスを有するので、アンテナ入力端子１から入力して信号経路を伝搬するＣＢ信号はＣＢトラップ回路１１の入力端から一方の静電気保護用ダイオード４１を通過してグランドへ伝搬する（経路３１）。このとき、ＣＢ信号の一部がＣＢトラップ回路１１を通過して広帯域増幅回路６側へ入力する（経路３０）。また、ＣＢ信号が強入力の場合、経路３０を介してグランドへ伝搬したＣＢ信号の一部が、グランドから他方の静電気保護用ダイオード４２を通過してＣＢトラップ回路１１の出力端側に入力する（経路３３）。
【００３５】
経路３１を通ってグランドに流れるＣＢ信号は、一方の静電気保護用ダイオード４１を通過してグランドへ伝搬するが、経路３２、３３を通ってグランドから他方の静電気保護用ダイオード４２へ入力し、他方の静電気保護用ダイオード４２を通過してＣＢトラップ回路１１の出力端に供給される。このように、一方の静電気保護用ダイオード４１を通過してグランドへ伝搬し、再びグランドから他方の静電気保護用ダイオード４２を通過するので、経路３１，３２，３３を経由してＣＢトラップ回路１１の出力端に現れるＣＢ信号は、経路３０を経由してＣＢトラップ回路１１の出力端に現れるＣＢ信号（基本波）の逆位相になっている。したがって、経路３０を経由してＣＢトラップ回路１１の出力端に現れるＣＢ信号（基本波）と、経路３１，３２，３３を経由してＣＢトラップ回路１１の出力端に現れるＣＢ信号（基本波逆位相）とが相殺されるので、広帯域増幅回路６に入力するＣＢ信号を減衰できる。
【００３６】
しかも、本実施の形態は、図３（又は図５）に示す従来回路に比べて、経路３１，３２，３３を経由してＣＢトラップ回路１１の出力端に現れるＣＢ信号（基本波逆位相）の流入量が多いので、逆位相による相殺効果は従来回路よりも顕著である。これは、本実施の形態はＣＢ信号に対して高インピーダンスとなるＣＢトラップ回路１１の入力端とグランドとの間に静電気保護用ダイオード４１を接続しているので、経路３１へ流れるＣＢ信号の流入量が多くなる。これに対して、従来回路は、図５に示すように、静電気保護用ダイオード４１の前段に設けたＣＢトラップ回路１０でＣＢ信号をグランドに流していると共に、ＩＦトラップ回路５はＣＢ信号に対してＣＢトラップ回路１０よりもローインピーダンスであるので、静電気保護用ダイオード４１（及び静電気保護用ダイオード４２）を通過するＣＢ信号は極めて小さい。このため、従来回路においても静電気保護用ダイオード４１、４２で位相反転したＣＢ信号が経路１０２を介してＩＦトラップ回路５の入力端に現れるが、流入量は極めて少ない。本実施の形態は従来回路に比べて位相反転したＣＢ信号による相殺効果は非常に大きくなる。
【００３７】
このように、ＣＢ信号が２本のダイオードを順次通過することで２次歪みが抑えられ、かつ逆位相になり、この基本波逆位相とＣＢトラップ回路１１を通過したＣＢ信号の基本波とは同一レベルではないにしても近いレベルであるので、ＣＢトラップ回路１１を通過したＣＢ信号のほとんどを相殺できる。これにより、ＣＢ信号が強入力のときでも、ＣＢトラップ回路１１の後段にある広帯域増幅回路６の出力に大きな歪みが発生することがなくなる。
【００３８】
このように本実施の形態のテレビジョンチューナ入力回路２０では、アンテナ入力端子１と広帯域増幅回路６との間の信号経路にＣＢトラップ回路１１を設けるとともに、ＣＢトラップ回路１１の入力端とのグランドとの間に静電気保護用ダイオード４１を接続し、またＣＢトラップ回路１１の出力端とのグランドとの間に静電気保護用ダイオード４２を接続して、ＣＢトラップ回路１１を通過せず２つの静電気保護用ダイオード４１、４２を通って信号経路側に戻る基本波逆位相の成分と、ＣＢトラップ回路１１を通過したＣＢ信号の基本波成分とを相殺するようにしたので、ＣＢ信号が強入力のときでも、ＣＢ信号を十分に減衰でき、ＣＢ信号が強入力のときでも、歪みの発生の少ない受信機を提供することが可能となる。
【００３９】
なお、本実施の形態では、ＣＢトラップ回路１１に、キャパシタンス１１１とインダクタと１１２とを並列接続した並列共振回路型のものを用いたが、キャパシタとインダクタとを直列接続した直列共振回路型のものを用いることも勿論可能である。但し、並列共振回路型は、直列共振回路型よりもインダクタンス値を小さくできるので、空芯コイルの小型化が図れ、装置の小型化が図れる。
【００４０】
また、本実施の形態では、ＩＦトラップ回路１０をＣＢトラップ回路１１の前段に設けたが、ＣＢトラップ回路１１の後段にキャパシタとインダクタとが並列接続され、信号経路に直列に接続されたＩＦトラップ回路を設けても良い。
【００４１】
ＩＦトラップ回路１０に、キャパシタ１０１とインダクタと１０２とを直列接続した直列共振回路型のものを用いたが、キャパシタとインダクタとを並列接続した並列共振回路型のものを用いることも勿論可能である。
【産業上の利用可能性】
【００４２】
本発明は、テレビジョンチューナの入力回路として適用可能である。
【符号の説明】
【００４３】
１        アンテナ入力端子          ２        ハイパスフィルタ回路
４        静電破壊防止回路          ６        広帯域増幅回路
７        出力端子                  １０      ＩＦトラップ回路
１１      ＣＢトラップ回路          ２０      テレビジョンチューナ入力回路
２１      インダクタ                ２２      キャパシタ
１０１    キャパシタ                １０２    インダクタ
１１１    キャパシタ                １１２    インダクタ
【図１】
2011250074.tif 000003
【図２】
2011250074.tif 000004
【図３】
2011250074.tif 000005
【図４】
2011250074.tif 000006
【図５】
2011250074.tif 000007